(57)【特許請求の範囲】
【請求項１】
アンテナと、
前記アンテナから電波を送信する送信手段と、
外部機器と接続される接続手段と、
前記接続手段に外部機器が接続されたことを検出する検出手段と、を備え、
前記送信手段は、前記検出手段により検出される外部機器の接続状態により変動する前記アンテナの最大のアンテナ利得に基づき、前記電波の送信電力を制御する、携帯通信端末。
【請求項２】
前記送信手段は、前記検出手段により外部機器の接続が検出される場合と、前記検出手段により外部機器の接続が検出されない場合とで、前記アンテナから電波を送信する送信電力を異ならせる、請求項１に記載の携帯通信端末。
【請求項３】
前記接続手段は、外部機器と接続される複数の接続端子を含み、
前記複数の接続端子のうち１以上からなる接続端子の外部機器との接続状態を検出する接続状態検出手段と、
外部機器との接続状態と送信電力とを対応付けて記憶する送信電力記憶手段とを、さらに備え、
前記送信手段は、前記接続状態検出手段により検出された接続状態に対応する前記送信電力記憶手段に記憶する送信電力に基づき前記アンテナから電波を送信する、請求項１に記載の携帯通信端末。
【請求項４】
前記接続手段は、複数種類の外部機器と接続可能な接続端子を含み、
前記接続端子に接続された外部機器の種類を検出する種類検出手段と、
外部機器の種類と送信電力とを対応付けて記憶する送信電力記憶手段とを、さらに備え、
前記送信手段は、前記種類検出手段により検出された外部機器の種類に対応する前記送信電力記憶手段に記憶する送信電力に基づき前記アンテナから電波を送信する、請求項１に記載の携帯通信端末。
【請求項５】
前記接続手段は、複数種類の外部機器と接続するための複数の接続端子を含み、
前記複数の接続端子のうち１以上からなる接続端子の外部機器との接続状態を検出する接続状態検出手段と、
前記接続端子に接続された外部機器の種類を検出する種類検出手段と、
外部機器との接続状態と外部機器の種類と送信電力とを対応付けて記憶する送信電力記憶手段と、をさらに備え、
前記送信手段は、前記接続状態検出手段により検出された接続状態と前記種類検出手段により検出された種類に対応する前記送信電力記憶手段に記憶する送信電力に基づき前記アンテナから電波を送信する、請求項１に記載の携帯通信端末。
【請求項６】
前記送信手段は、前記検出手段により外部機器の接続が検出されない場合は、予め定められた送信電力で前記アンテナから電波を送信する、請求項１〜５のいずれかに記載の携帯通信端末。
【請求項７】
アンテナと、
前記アンテナから電波を送信する送信手段と、
外部機器と接続される接続手段と、を備えた携帯通信端末で実行される送信電力切換方法であって、
前記接続手段に外部機器が接続されたことを検出するステップと、
外部機器の接続状態により変動する前記アンテナの最大のアンテナ利得に基づき、前記送信手段が送信する電波の送信電力を制御するステップと、を含む送信電力切換方法。
【請求項８】
アンテナと、
前記アンテナから電波を送信する送信手段と、
外部機器と接続される接続手段と、を備えた携帯通信端末で実行される送信電力切換プログラムであって、
前記接続手段に外部機器が接続されたことを検出するステップと、
外部機器の接続状態により変動する前記アンテナの最大のアンテナ利得に基づき、前記送信手段が送信する電波の送信電力を制御するステップと、を前記携帯通信端末に実行させる送信電力切換プログラム。
【発明の詳細な説明】
【技術分野】
【０００１】
この発明は、携帯通信端末、送信電力切換方法および送信電力切換プログラムに関し、特にアンテナから信号を送出するトランスミッタを備えた携帯通信端末、その携帯通信端末で実行される送信電力切換方法および送信電力切換プログラムに関する。
【背景技術】
【０００２】
携帯電話機は、アンテナからＦＭ電波を送出するＦＭトランスミッタを備えたものが登場している（例えば、特許文献１）。携帯電話機に記憶された音楽データを再生した信号をＦＭトランスミッタがアンテナを介してＦＭ電波を送出することにより、ラジオ受信機でその信号を受信し、音声出力することができる。
【０００３】
一方、携帯電話機は、イヤホンと接続するための接続端子、パーソナルコンピュータ等のＵＳＢ機器と接続するための接続端子、充電器と接続するための接続端子を備えており、イヤホン、ＵＳＢ機器または充電器などの外部機器と接続される。しかしながら、携帯電話機が外部機器と接続されると、ＦＭトランスミッタに接続されたアンテナのアンテナ利得が変化する。このため、ＦＭトランスミッタが送出するＦＭ電波の電界強度が、予め定められた値を超える場合がある。従来は、携帯電話機に外部機器が接続された場合には、ＦＭトランスミッタがＦＭ電波を送出しないようにしていた。
【０００４】
しかしながら、ラジオ受信機で音楽を再生しつつ、イヤホンで通話したり、パーソナルコンピュータと通信したり、充電したりすることができなくなってしまうといった問題があった。
【特許文献１】特開２００７−１９２５６４号公報
【発明の開示】
【発明が解決しようとする課題】
【０００５】
この発明は上述した問題点を解決するためになされたもので、この発明の目的の一つは、外部機器が接続される場合であっても電波を送信することが可能な携帯通信端末を提供することである。
【０００６】
この発明の他の目的の一つは、外部機器が接続される場合であっても電波を送信することが可能な送信電力切換方法および送信電力切換プログラムを提供することである。
【課題を解決するための手段】
【０００７】
上述した目的を達成するために、この発明のある局面によれば、携帯通信端末は、アンテナと、アンテナから電波を送信する送信手段と、外部機器と接続される接続手段と、接続手段に外部機器が接続されたことを検出する検出手段と、を備え、送信手段は、検出手段により検出される外部機器の接続状態により変動するアンテナの最大のアンテナ利得に基づき、電波の送信電力を制御する。
【０００８】
この局面に従えば、外部機器が接続されるとアンテナのアンテナ利得が変化するが、外部機器の接続状態により変動する、アンテナの最大のアンテナ利得に基づき送信電力を制御するので、送信される電波の電波強度を所定の値以下にすることができる。その結果、外部機器が接続される場合であっても電波を送信することが可能な携帯通信端末を提供することができる。
【０００９】
好ましくは、送信手段は、検出手段により外部機器の接続が検出される場合と、検出手段により外部機器の接続が検出されない場合とで、アンテナから電波を送信する送信電力を異ならせる。
【００１０】
この局面に従えば、外部機器の接続が検出される場合と、外部機器の接続が検出されない場合とで、送信電力を異ならせるので、送信される電波の電波強度を所定の値以下にすることができる。
【００１１】
好ましくは、接続手段は、外部機器と接続される複数の接続端子を含み、複数の接続端子のうち１以上からなる接続端子の外部機器との接続状態を検出する接続状態検出手段と、外部機器との接続状態と送信電力とを対応付けて記憶する送信電力記憶手段とを、さらに備え、送信手段は、接続状態検出手段により検出された接続状態に対応する送信電力記憶手段に記憶する送信電力に基づきアンテナから電波を送信する。
【００１２】
この局面に従えば、複数の接続端子の１以上からなる接続端子の外部機器との接続状態が検出され、検出された接続状態に対応して記憶された送信電力に基づきアンテナから電波が送信される。複数の接続端子の１以上からなる接続端子の外部機器との接続状態に対応する送信電力で電波が送信されるので、複数の接続端子のうちで外部機器が接続される接続端子によって、送信電力を異ならせることができる。
【００１３】
好ましくは、接続手段は、複数種類の外部機器と接続可能な接続端子を含み、接続端子に接続された外部機器の種類を検出する種類検出手段と、外部機器の種類と送信電力とを対応付けて記憶する送信電力記憶手段とを、さらに備え、送信手段は、種類検出手段により検出された外部機器の種類に対応する送信電力記憶手段に記憶する送信電力に基づきアンテナから電波を送信する。
【００１４】
この局面に従えば、接続端子に接続された外部機器の種類に対応する送信電力に基づきアンテナから電波が送信される。このため、接続端子に接続される外部機器の種類によって、送信電力を異ならせることができる。
【００１５】
好ましくは、接続手段は、複数種類の外部機器と接続するための複数の接続端子を含み、複数の接続端子のうち１以上からなる接続端子の外部機器との接続状態を検出する接続状態検出手段と、接続端子に接続された外部機器の種類を検出する種類検出手段と、外部機器との接続状態と外部機器の種類と送信電力とを対応付けて記憶する送信電力記憶手段と、をさらに備え、送信手段は、接続状態検出手段により検出された接続状態と種類検出手段により検出された種類に対応する送信電力記憶手段に記憶する送信電力に基づきアンテナから電波を送信する。
【００１６】
この局面に従えば、接続状態検出手段により検出された接続状態と種類検出手段により検出された種類に対応する送信電力に基づきアンテナから電波が送信されるので、複数の接続端子に接続される外部機器の種類によって、送信電力を異ならせることができる。
【００１８】
この局面に従えば、送信電力が、アンテナの最大のアンテナ利得に基づき定まるので、送信される電波の電波強度を確実に所定の値以下にすることができる。
【００１９】
好ましくは、送信手段は、検出手段により外部機器の接続が検出されない場合は、予め定められた送信電力で電波を送信する。
【００２０】
この局面に従えば、外部機器の接続が検出されない場合は、予め定められた送信電力で電波が送信される。
【００２１】
この発明の他の局面によれば、送信電力切換方法は、アンテナと、アンテナから電波を送信する送信手段と、外部機器と接続される接続手段と、を備えた携帯通信端末で実行される送信電力切換方法であって、接続手段に外部機器が接続されたことを検出するステップと、外部機器の接続状態により変動するアンテナの最大のアンテナ利得に基づき、送信手段が送信する電波の送信電力を制御するステップと、を含む。
【００２２】
この局面に従えば、外部機器が接続される場合であっても電波を送信することが可能な送信電力切換方法を提供することができる。
【００２３】
この発明のさらに他の局面に従えば、送信電力切換プログラムは、アンテナと、アンテナから電波を送信する送信手段と、外部機器と接続される接続手段と、を備えた携帯通信端末で実行される送信電力切換プログラムであって、接続手段に外部機器が接続されたことを検出するステップと、外部機器の接続状態により変動するアンテナの最大のアンテナ利得に基づき、送信手段が送信する電波の送信電力を制御するステップと、を携帯通信端末に実行させる。
【００２４】
この局面に従えば、外部機器が接続される場合であっても電波を送信することが可能な送信電力切換プログラムを提供することができる。
【発明を実施するための最良の形態】
【００２５】
以下、本発明の実施の形態について図面を参照して説明する。以下の説明では同一の部品には同一の符号を付してある。それらの名称および機能も同じである。したがってそれらについての詳細な説明は繰返さない。
【００２６】
図１は、本発明の実施の形態の一つにおける携帯電話機の外観を示す斜視図である。図１（Ａ）は、オープンスタイルの状態にある携帯電話機１の外観を示し、図１（Ｂ）はクローズスタイルの状態にある携帯電話機１の外観を示す。図１（Ａ）および図１（Ｂ）を参照して、携帯電話機１は、操作側部３と、表示側部２とを含む。操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１の状態がクローズスタイルであり、携帯電話機１を開いて、操作側部３と表示側部２とが開状態にあるときの携帯電話機１の状態がオープンスタイルである。
【００２７】
操作側部３は、電源キー１４Ａ、テンキーおよび通話キー等を含む操作キー１４と、マイクロホン１３とが内側面に配置され、イヤホン端子１７およびＵＳＢ端子１８が右側面に配置され、底側面に２つの充電端子１９が配置される。
【００２８】
表示側部２は、液晶表示装置（ＬＣＤ）１５と、レシーバを構成する第１スピーカ１１と、カメラ２４とが内側面に配置され、小型ＬＣＤ１５Ａと、第２スピーカ１２とが外側面に配置される。なお、ここでは携帯電話機１がＬＣＤ１５を備える例を示すが、ＬＣＤ１５に代えて、有機ＥＬ（ＥｌｅｃｔｒｏＬｕｍｉｎｅｓｃｅｎｃｅ）ディスプレイを用いてもよい。
【００２９】
イヤホン端子１７は、外部機器としてのイヤホンが接続され、ＵＳＢ（Ｕｎｉｖｅｒｓａｌ  Ｓｅｒｉａｌ  Ｂｕｓ）端子１８は、外部機器としてパーソナルコンピュータまたは充電器などのＵＳＢ機器が接続される。なお、イヤホン端子１７に接続されるイヤホンはイヤホンマイクを含む。２つの充電端子１９は、携帯電話機１が充電台に載置された状態で、充電台が備える２つの端子にそれぞれ接触し、充電台から供給される電力を携帯電話機１の内部に受け入れる。なお、充電端子１９は、充電器のコネクタを挿入するタイプであってもよい。
【００３０】
図２は、本実施の形態における携帯電話機の機能の一例を示す機能ブロック図である。図２を参照して、携帯電話機１は、携帯電話機１の全体を制御するための制御部２１と、アンテナ２２Ａと接続された無線回路２２と、アンテナ２３Ａと接続されたＦＭトランスミッタ２３と、音声データを処理するためのコーデック部２８と、コーデック部２８の入出力を切換えるための切換部２９と、それぞれが切換部２９に接続されたマイクロホン１３、第１スピーカ１１、第２スピーカ１２、イヤホン端子１７と、カメラ２４と、ユーザの操作の入力を受付ける操作キー１４と、振動部２６と、ＬＣＤ１５の表示を制御するための表示制御部３０と、制御部２１で実行するプログラム等を記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）３１と、制御部２１の作業領域として使用されるＲＡＭ（Ｒａｎｄｏｍ  Ａｃｃｅｓｓ  Ｍｅｍｏｒｙ）３２と、ＵＳＢ端子１８と、充電端子１９とを含む。
【００３１】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。
【００３２】
コーデック部２８は、無線回路２２から入力される音声信号を復号し、復号したデジタルの音声信号をアナログに変換し、増幅し、そして切換部２９に出力する。また、コーデック部２８は、切換部２９を介してマイクロホン１３からアナログの音声信号が入力され、音声信号をデジタルに変換し、符号化し、そして符号化した音声信号を無線回路２２に出力する。
【００３３】
ＦＭトランスミッタ２３は、制御部２１により制御され、制御部２１がＥＥＰＲＯＭ３１に記憶された音楽データを再生したアナログの音声信号を変調し、変調した無線信号に基づく電波をアンテナ２３Ａから送信する。ここでは、ＦＭトランスミッタ２３は、ＦＭの電波をアンテナ２３Ａから送信する。なお、ＦＭに限らず、ＡＭの電波を送信するようにしてもよい。また、ＦＭトランスミッタ２３は、増幅器を備えており電波を送信するための送信電力を変更することが可能である。ＦＭトランスミッタ２３は、制御部２１から指示された送信電力で、電波をアンテナ２３Ａから送信する。
【００３４】
切換部２９は、制御部２１により制御され、コーデック部２８への音声信号の入出力を切換える。切換部２９は、コーデック部２８から受け付けた音声信号を、イヤホン端子１７、第１スピーカ１１および第２スピーカ１２のいずれかに出力する。イヤホン端子１７にイヤホンが接続されている場合には、コーデック部２８から受け付けた音声信号をイヤホン端子１７に出力する。イヤホン端子１７にイヤホンが接続されていない場合、携帯電話機１がハンズフリーモードであれば、コーデック部２８から受け付けた音声信号を第２スピーカ１２に出力し、携帯電話機１がハンズフリーモードでなければ、コーデック部２８から受け付けた音声信号を第１スピーカ１１に出力する。ユーザが操作キー１４を操作することにより、携帯電話機１がハンズフリーモードに設定される。また、携帯電話機１がオープンスタイルで通話状態のときハンズフリーモードに設定されていなくても、携帯電話機１の状態がクローズスタイルに変化すると、制御部２１は、ハンズフリーモードに設定する。このため、切換部２９は、携帯電話機１がオープンスタイルで通話状態のときハンズフリーモードに設定されていなければ、コーデック部２８から受け付けた音声信号を第１スピーカ１１に出力するが、携帯電話機１の状態がクローズスタイルに変化するとコーデック部２８から受け付けた音声信号を第２スピーカ１２に出力する。
【００３５】
切換部２９は、マイクロホン１３が出力する音声信号をコーデック部２８に出力する。また、切換部２９は、イヤホン端子にイヤホンマイクが接続されている場合は、イヤホン端子１７から受け付けた音声信号をコーデック部２８に出力し、イヤホン端子１７にイヤホンマイクが接続されていない場合は、マイクロホン１３から受け付けた音声信号をコーデック部２８に出力する。
【００３６】
表示制御部３０は、制御部２１により制御され、制御部２１から入力される指示に従ってＬＣＤ１５を制御して、ＬＣＤ１５に画像を表示させる。ＬＣＤ１５に表示させる画像は、動画像と静止画像とを含む。
【００３７】
カードＩ／Ｆ２７には、着脱可能なフラッシュメモリ２７Ａが装着される。制御部２１は、カードＩ／Ｆ２７を介して、フラッシュメモリ２７Ａにアクセスが可能である。なお、ここでは制御部２１が実行するためのプログラムをＲＯＭ３１に記憶しておく例を説明するが、プログラムをフラッシュメモリ２７Ａに記憶しておき、フラッシュメモリ２７Ａからプログラムを読み出して、制御部２１が実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ、ＥＥＰＲＯＭなどの半導体メモリ等でもよい。また、携帯電話機１をインターネットに無線回路２２を介して接続し、インターネットに接続されたコンピュータからプログラムをダウンロードして、制御部２１が実行するようにしてもよい。ここでいうプログラムは、制御部２１が直接実行可能なプログラムだけでなく、ソースプログラム形式のプログラム、圧縮処理されたプログラム、暗号化されたプログラム等を含む。
【００３８】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。
【００３９】
図３は、携帯電話機が備える制御部の機能の一例を示す機能ブロック図である。図３を参照して、制御部２１は、ＦＭトランスミッタ２３の送信電力を制御するための電力制御部５１と、外部機器の接続を検出するための接続検出部５３と、を含む。
【００４０】
接続検出部５３は、イヤホンの接続、ＵＳＢケーブルの接続、および充電台の接続を検出する。具体的には、接続検出部５３は、イヤホン端子１７にイヤホンが接続されると、イヤホンの接続を検出する。イヤホン端子１７が備える所定の接続端子の電圧の変化を検出するようにしてもよいし、イヤホン端子１７にイヤホンの接続を検出するためのスイッチを設けるようにしてもよい。また、接続検出部５３は、ＵＳＢ端子１８にＵＳＢケーブルが接続されると、ＵＳＢケーブルの接続を検出する。ＵＳＢ端子１８が備える所定の接続端子の電圧の変化を検出するようにしてもよいし、ＵＳＢ端子１８にＵＳＢケーブルの接続を検出するためのスイッチを設けるようにしてもよい。さらに、接続検出部５３は、２つの充電端子１９間に所定の電圧が印加されることを検出すると、充電台の接続を検出する。
【００４１】
接続検出部５３は、イヤホンの接続、ＵＳＢケーブルの接続、および充電台の接続のいずれかを検出すると、イヤホン端子１７、ＵＳＢ端子１８、充電端子１９のいずれに外部機器が接続されたことを示す接続信号を電力制御部５１に出力する。イヤホンが接続された場合にはイヤホン端子１７の識別情報を含む接続信号を出力し、ＵＳＢ機器が接続された場合にはＵＳＢ端子１８の識別情報を含む接続信号を出力し、充電器が接続されたならば充電端子１９の識別情報を含む接続信号を出力する。接続検出部５３は、イヤホンの接続、ＵＳＢケーブルの接続、および充電台の接続のいずれも検出しない場合には、いずれも接続されていないことを示す接続信号を電力制御部５１に出力する。
【００４２】
電力制御部５１は、接続検出部５３から入力される接続信号に基づいて、ＦＭトランスミッタ２３の送信電力を制御する。
【００４３】
図４は、電力テーブルの一例を示す図である。図４を参照して、電力テーブルは、複数の接続状態ごとに送信電力を定義する。以下、イヤホン、ＵＳＢケーブルおよび充電器を総称して外部機器という。複数の接続状態は、イヤホン端子１７、ＵＳＢ端子１８および充電端子１９のうち外部機器が接続されているものの組合せで定まる。すなわち、電力テーブルは、複数のイヤホン端子１７、ＵＳＢ端子１８および充電端子１９のうち外部機器が接続されているものの１以上からなる複数の組それぞれに対して送信電力を関連付ける。より具体的には、図４においては、イヤホン端子１７の識別情報を「イヤホン端子」とし、ＵＳＢ端子１８の識別情報を「ＵＳＢ端子」とし、充電端子１９の識別情報を「充電端子」として示している。そして、外部機器が接続されている状態を○印で示し、外部機器が接続されていない状態を×印で示している。例えば、接続状態１は、イヤホン端子１７、ＵＳＢ端子１８および充電端子１９にイヤホン、ＵＳＢケーブルおよび充電器がそれぞれ接続されていない状態を示し、接続状態１には送信電力Ｐ１が関連付けられる。接続状態２は、イヤホン端子１７にイヤホンが接続され、ＵＳＢ端子１８および充電端子１９にＵＳＢケーブルおよび充電器がそれぞれ接続されていない状態を示し、接続状態２には送信電力Ｐ２が関連付けられる。
【００４４】
送信電力は、複数の接続状態において、外部機器が接続された場合におけるアンテナ２３Ａのアンテナ利得の最大値に基づき定まる。接続される外部機器の種類によりアンテナ２３Ａのアンテナ利得は異なるが、イヤホン端子１７、ＵＳＢ端子１８および充電端子１９それぞれに、接続可能な外部機器の種類は限られている。外部機器の種類が定まれば、その種類の外部機器に対して、アンテナ２３Ａのアンテナ利得が取り得る最大値が定まる。このため、例えば、イヤホン端子１７に接続することが可能な種類の外部機器のうちでそれが携帯電話機１に接続された場合のアンテナ２３Ａのアンテナ利得の最大となるものが定まり、それが携帯電話機１に接続された場合におけるアンテナ２３Ａのアンテナ利得の最大値を定めることができる。送信電力は、複数の接続状態において、外部機器が接続された場合におけるアンテナ２３Ａのアンテナ利得の最大値に基づき、アンテナ２３Ａから送出されるＦＭ電波の電波強度が予め定められた値以下となる値に定められた値である。
【００４５】
図３に戻って、電力制御部５１は、イヤホン端子１７、ＵＳＢ端子１８および充電端子１９のうち外部機器が接続されているものに基づき、接続状態を検出する。そして、電力テーブルを検索して、検出した接続状態と関連付けられている送信電力を抽出する。具体的には、ＥＥＰＲＯＭ３１に予め記憶された電力テーブルを参照して、接続信号に含まれるイヤホン端子１７、ＵＳＢ端子１８、充電端子１９の識別情報の項目に○印が付され、接続信号に含まれない識別情報の項目に×印が付されたレコードを抽出し、そのレコードに含まれる送信電力をＦＭトランスミッタ２３の送信電力に決定する。そして、決定した送信電力で電波を送信するようにＦＭトランスミッタ２３を制御する。
【００４６】
図５は、送信電力切換処理の流れの一例を示すフローチャートである。送信電力切換処理は、制御部２１がＥＥＰＲＯＭ３１に記憶された送信電力切換プログラムを実行することにより、制御部２１により実行される処理である。
【００４７】
図５を参照して、制御部２１は、ＦＭトランスミッタ２３がＯＮになったか否かを判断する。ユーザが操作キー１４にＦＭトランスミッタ２３を起動するための操作を入力すると、制御部２１は操作キー１４から起動するための操作を受け付ける。制御部２１は、操作キー１４から起動するための操作を受け付けると、ＦＭトランスミッタがＯＮになったと判断し、ＦＭトランスミッタ２３を起動する。制御部２１は、ＦＭトランスミッタ２３がＯＮになるまで待機状態となり（ステップＳ０１でＮＯ）、ＦＭトランスミッタ２３がＯＮになったと判断すると、処理をステップＳ０２に進める。すなわち、送信電力切換処理は、ＦＭトランスミッタ２３がＯＮになる操作が受け付けられることを条件に実行される処理である。
【００４８】
ステップＳ０２においては、外部機器が接続されたか否かを判断する。具体的には、イヤホンの接続、ＵＳＢケーブルの接続、および充電台の接続のいずれかを検出したか否かを判断する。外部機器が接続されたことを検出すると、処理をステップＳ０３に進めるが、そうでなければ処理をステップＳ０６に進める。
【００４９】
ステップＳ０６においては、予め定められた送信電力Ｐ１をＦＭトランスミッタ２３の送信電力に設定し、処理をステップＳ０７に進める。具体的には、予め定められた送信電力Ｐ１で信号を出力するようにＦＭトランスミッタ２３を制御する。
【００５０】
一方、ステップＳ０３においては、電力テーブルを検索する。ＥＥＰＲＯＭ３１に記憶されている電力テーブルを検索し、ステップＳ０２において、イヤホン端子１７、ＵＳＢ端子１８および充電端子１９のうち接続が検出されたものから定まる接続状態のレコードを決定する。
【００５１】
そして、決定されたレコードに含まれる送信電力を決定する（ステップＳ０４）。次に、決定した送信電力をＦＭトランスミッタ２３の送信電力に設定する（ステップＳ０５）。具体的には、決定された送信電力で信号を出力するようにＦＭトランスミッタ２３を制御する。
【００５２】
次のステップＳ０７においては、ＦＭトランスミッタ２３がＯＦＦになったか否かを判断する。制御部２１は、操作キー１４からＦＭトランスミッタ２３をＯＦＦにするための操作を受け付けると、ＦＭトランスミッタがＯＦＦになったと判断し、ＦＭトランスミッタ２３を停止させる。ＦＭトランスミッタ２３がＯＦＦになったと判断した場合は処理を終了し、そうでなければ処理をステップＳ０２に戻す。
【００５３】
図６は、接続状態と送信電力との関係を示す図である。図６を参照して、接続状態１における送信電力Ｐ１が最も高く、接続状態８における送信電力Ｐ８が最も低い。これは、携帯電話機１に外部機器が接続されるほど、アンテナ２３Ａのアンテナ利得が高くなるからである。
【００５４】
以上説明したように、本実施の形態における携帯電話機１は、イヤホン端子１７、ＵＳＢ端子１８および充電端子１９のいずれかに外部機器が接続されるとアンテナ２３Ａのアンテナ利得が変化するが、外部機器が接続される接続状態によって送信電力を異ならせる。一例では、イヤホン端子１７、ＵＳＢ端子１８および充電端子１９のいずれかに外部機器の接続が検出される場合と、それらのいずれにも外部機器の接続が検出されない場合とで、送信電力を異ならせる。このため、送信される電波の電波強度を所定の値以下にすることができる。
【００５５】
また、複数のイヤホン端子１７、ＵＳＢ端子１８および充電端子１９接続端子のうち１以上からなる複数の接続状態それぞれに対して送信電力を関連付けた電力テーブルを記憶しており、複数のイヤホン端子１７、ＵＳＢ端子１８および充電端子１９のうち接続が検出されたものの組で定まる接続状態と電力テーブルにより関連付けられた送信電力でＦＭトランスミッタ２３から電波が送信される。このため、複数の複数のイヤホン端子１７、ＵＳＢ端子１８および充電端子１９のうち外部機器が接続されるものの組合せごとに、送信電力を異ならせることができる。
【００５６】
また、電力テーブルの送信電力は、複数のイヤホン端子１７、ＵＳＢ端子１８および充電端子１９それぞれに予め定められた外部機器が接続された場合におけるアンテナの最大のアンテナ利得に基づき送信電力が定まるので、送信される電波の電波強度を確実に所定の値以下にすることができる。
【００５７】
＜変形例＞
変形例における携帯電話機１は、イヤホン端子１７およびＵＳＢ端子１８に接続された外部機器の種類を検出するようにし、接続された外部機器の種類に対応して予め定められた送信電力でＦＭトランスミッタ２３に信号を出力させようにしたものである。
【００５８】
図３における接続検出部５３は、イヤホン端子１７に外部機器が接続されたことを検出すると、接続された外部機器がイヤホンとイヤホンマイクとのいずれであるかを検出する。例えば、イヤホン端子１７が備える所定の接続端子の電圧の変化からイヤホンとイヤホンマイクの別を検出するようにしてもよいし、音声の入力を検出したならばイヤホンマイクと判断し、音声の入力が検出されなければイヤホンと判断するようにしてもよい。また、接続検出部５３は、ＵＳＢ端子１８に外部機器が接続されたことを検出すると、接続された外部機器がパーソナルコンピュータ（ＰＣ）と充電器との別を検出する。例えば、ＵＳＢ端子１８が備える所定の接続端子の電圧値からＰＣと充電器との別を検出する。
【００５９】
接続検出部５３は、イヤホンの接続、ＵＳＢケーブルの接続、および充電台の接続のいずれかを検出すると、イヤホン端子１７、ＵＳＢ端子１８、充電端子１９のいずれに外部機器が接続されたかを示し、接続された外部機器の種類を特定するための種類特定情報を含む接続信号を電力制御部５１に出力する。接続信号は、イヤホンまたはイヤホンマイクが接続された場合にはイヤホン端子１７の識別情報と、イヤホンまたはイヤホンマイクのうち接続されたものを特定するための種類特定情報とを含み、ＵＳＢ機器が接続された場合にはＵＳＢ端子１８の識別情報と、ＰＣまたは充電器のうち接続されたものを特定するための種類特定情報を含む。また、接続信号は、充電端子１９に充電器が接続された場合には、充電端子１９の識別情報と、充電器を特定するための種類特定情報を含む。
【００６０】
電力制御部５１は、接続検出部５３から入力される接続信号に基づいて、ＦＭトランスミッタ２３の送信電力を制御する。
【００６１】
図７は、変形例における電力テーブルの一例を示す図である。図７を参照して、変形例における電力テーブルは、イヤホン端子１７、ＵＳＢ端子１８、充電端子１９それぞれの項目が外部機器の種類で細分化されている点が、図４に示した電力テーブルと異なる。このため、図４に示した電力テーブルに比べて、接続状態が外部機器の種類の組み合わせて定まるため、接続状態の数が増加している。具体的には、イヤホン端子の項目が、イヤホンの種類特定情報である「イヤホン」の項目およびイヤホンマイクの種類特定情報である「イヤホンマイク」の項目で細分化され、ＵＳＢ端子の項目がＰＣの種類特定情報である「ＰＣ」の項目および充電器の種類特定情報である「充電器」の項目で細分化される。このため、変形例における電力テーブルは、複数種類の外部機器の１以上からなる複数の組それぞれに対して送信電力を関連付ける。
【００６２】
例えば、接続状態２−１は、イヤホン端子１７にイヤホンが接続され、ＵＳＢ端子１８および充電端子１９には何も接続されていない状態を示し、この接続状態２−１には送信電力Ｐ２−１が関連付けられる。また、接続状態２−２は、イヤホン端子１７にイヤホンマイクが接続され、ＵＳＢ端子１８および充電端子１９には何も接続されていない状態を示し、この接続状態２−１には送信電力Ｐ２−２が関連付けられる。
【００６３】
送信電力は、複数の接続状態において、外部機器が接続された場合におけるアンテナ２３Ａのアンテナ利得の最大値に基づき定まる。送信電力は、複数の接続状態において、外部機器が接続された場合におけるアンテナ２３Ａのアンテナ利得の最大値に基づき、アンテナ２３Ａから送出されるＦＭ電波の電波強度が予め定められた値以下となる値に定められた値である。
【００６４】
図３に戻って、電力制御部５１は、イヤホン端子１７、ＵＳＢ端子１８および充電端子１９のうち外部機器が接続されているものがある場合、接続されている外部機器の種類に基づき接続状態を検出する。具体的には、ＥＥＰＲＯＭ３１に予め記憶された電力テーブルを参照して、接続信号に含まれるイヤホン端子１７、ＵＳＢ端子１８、充電端子１９の識別情報および種類特定情報で定まる項目に○印が付され、接続信号に含まれない識別情報および種類特定情報の項目に×印が付されたレコードを抽出し、そのレコードに含まれる送信電力をＦＭトランスミッタ２３の送信電力に決定する。そして、決定した送信電力で電波を送信するようにＦＭトランスミッタ２３を制御する。
【００６５】
図８は、変形例における送信電力切換処理の流れの一例を示すフローチャートである。図８を参照して、図５に示した送信電力切換処理と異なる点は、ステップＳ０２の後にステップＳ０２Ａが追加された点、およびステップＳ０３Ａが変更された点である。他の処理は、図５に示した処理と同じなのでここでは説明を繰り返さない。
【００６６】
ステップＳ０２Ａにおいては、ステップＳ０２において接続が検出された外部機器の種類を検出する。イヤホン端子１７、ＵＳＢ端子１８および充電端子１９の複数で接続が検出された場合には、イヤホン端子１７、ＵＳＢ端子１８および充電端子１９のうち外部機器の接続が検出されたすべてのものにそれぞれ接続された外部機器の種類を検出する。具体的には、イヤホン端子１７に外部機器が接続されたことが検出された場合には、イヤホンとイヤホンマイクとのいずれが接続されたかを検出し、ＵＳＢ端子１８に外部機器が接続されたことが検出された場合には、ＰＣと充電器とのいずれが検出されたかを検出する。
【００６７】
次のステップＳ０３Ａにおいては、ＥＥＰＲＯＭ３１に記憶されている図７に示した電力テーブルを検索し、ステップＳ０２において、イヤホン端子１７、ＵＳＢ端子１８および充電端子１９のうちで接続が検出されたもの識別情報と、ステップＳ０２Ａにおいて検出された外部機器を特定する種類特定情報とから定まる接続状態のレコードを決定する。
【００６８】
以上説明したように、変形例における携帯電話機１は、イヤホン端子１７に接続可能なイヤホンおよびイヤホンマイク、ＵＳＢ端子１８に接続可能なＰＣおよび充電器、および充電端子１９に接続可能な充電器うちの１以上からなる複数の接続状態それぞれに対して送信電力を関連付けた電力テーブルを記憶している。そして、イヤホン、イヤホンマイク、ＰＣおよび充電器うち接続が検出された少なくとも１つの外部機器の種類からなる組で定まる接続状態と関連付けられた送信電力で信号が出力される。このため、イヤホン、イヤホンマイク、ＰＣおよび充電器が接続されるものの組合せごとに、送信電力を異ならせることができる。
【００６９】
また、イヤホン、イヤホンマイク、ＰＣおよび充電器の１以上からなる複数の組それぞれに対して、イヤホン、イヤホンマイク、ＰＣおよび充電器のうち１以上が接続された場合におけるアンテナ２３Ａの最大のアンテナ利得に基づき定まる送信電力を関連付ける。このため、送信される電波の電波強度を確実に所定の値以下にすることができる。
【００７０】
なお、本実施の形態においては、携帯通信端末の一例として携帯電話機１を例に説明したが、ＦＭトランスミッタ２３を備えた装置であれば、送信機等の電子機器であってもよい。また、図５または図８に示した処理を実行するための送信電力切換方法、またはその送信電力切換方法をコンピュータに実行させるための送信電力切換プログラムとして発明を捉えることができるのは言うまでもない。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７２】
＜付記＞
（１）  前記接続手段は、外部機器と接続される複数の接続端子を含み、
複数の接続状態と送信電力とを対応付けて記憶する送信電力記憶手段と、
前記複数の接続端子のうち前記検出手段により外部機器との接続が検出された接続端子の組に基づき前記複数の接続状態のいずれであるかを検出する接続状態検出手段と、をさらに備え、
前記送信手段は、前記接続状態検出手段により検出された接続状態に対応して記憶された送信電力で前記アンテナから電波を送信する、請求項１に記載の携帯通信端末。
（２）  前記接続手段は、複数種類の外部機器と接続可能な複数の接続端子を含み、
前記複数の接続端子それぞれについて、該接続端子に接続された外部機器の種類を検出する種類検出手段と、
複数の接続状態と送信電力とを対応付けて記憶する送信電力記憶手段と、
前記複数種類の外部機器のうち前記種類検出手段により接続が検出された外部機器の種類の組合せに基づき前記複数の接続状態のいずれであるかを検出する接続状態検出手段と、をさらに備え、
前記送信手段は、前記接続状態検出手段により検出された接続状態に対応して記憶された送信電力で前記アンテナから電波を送信する、請求項１に記載の携帯通信端末。
（３）  前記送信電力記憶手段に記憶され送信電力は、前記複数の接続状態それぞれにおける前記アンテナの最大のアンテナ利得に基づき定まる、請求項１〜３および５のいずれかに記載の携帯通信端末。
【図面の簡単な説明】
【００７３】
【図１】本発明の実施の形態の一つにおける携帯電話機の外観を示す斜視図である。
【図２】本実施の形態における携帯電話機の機能の一例を示す機能ブロック図である。
【図３】携帯電話機が備える制御部の機能の一例を示す機能ブロック図である。
【図４】電力テーブルの一例を示す図である。
【図５】送信電力切換処理の流れの一例を示すフローチャートである。
【図６】接続状態と送信電力との関係を示す図である。
【図７】変形例における電力テーブルの一例を示す図である。
【図８】変形例における送信電力切換処理の流れの一例を示すフローチャートである。
【符号の説明】
【００７４】
１  携帯電話機、２  表示側部、３  操作側部、１１  第１スピーカ、１２  第２スピーカ、１３  マイクロホン、１４  操作キー、１４Ａ  電源キー、１７  イヤホン端子、１８  ＵＳＢ端子、１９  充電端子、２１  制御部、２２  無線回路、２２Ａ  アンテナ、２３  トランスミッタ、２３Ａ  アンテナ、２４  カメラ、２６  振動部、２７Ａ  フラッシュメモリ、２８  コーデック部、２９  切換部、３０  表示制御部、５１  電力制御部、５３  接続検出部、２７  カードＩ／Ｆ、１５Ａ  小型ＬＣＤ。
【図１】
0004953993.tif 000002
【図２】
0004953993.tif 000003
【図３】
0004953993.tif 000004
【図４】
0004953993.tif 000005
【図５】
0004953993.tif 000006
【図６】
0004953993.tif 000007
【図７】
0004953993.tif 000008
【図８】
0004953993.tif 000009